(57)【要約】【課題】内部にケーブルが入線されているか否かを容易に確認可能な内部確認可能型地中管を提供すること。【解決手段】地中に埋設され、複数連結することによって内部にケーブルを通す地中管路を形成する内部確認可能型地中管１であって、地中管本体１０の一部に、地中管本体１０の中心軸に沿って延びるライン状の透明部又は半透明部を形成したことにより、地面を掘削して、埋設された地中管路を露出させた際に、作業員が、内部にケーブルが入線されているか否かを透明部又は半透明部越しに確認可能になる。【選択図】図１
2015231297.tif 000002
【特許請求の範囲】
【請求項１】
地中に埋設され、複数連結することによって内部にケーブルを通す地中管路を形成する地中管であって、地中管本体の一部に、地中管本体の中心軸に沿って延びるライン状の透明部又は半透明部を形成したことを特徴とする内部確認可能型地中管。
【請求項２】
前記透明部又は前記半透明部は、前記地中管本体の周方向に所定の間隔を空けて複数配置されることを特徴とする請求項１記載の内部確認可能型地中管。
【発明の詳細な説明】
【技術分野】
【０００１】
本発明は、地中にケーブル等を布設する際に適用される内部確認可能型地中管に関する。
【背景技術】
【０００２】
近年、地上における電柱やケーブルを減らし、景観を改善することなどを目的として、ケーブルを地中に布設することが、特に都市部において行われている。ケーブルを地中に布設する際には、複数の地中管を連結してなる地中管路を地中に布設し、その地中管路内に配電ケーブルや通信ケーブル等のケーブルを入線させている。
【０００３】
図４は、地中管路の布設例を示す説明図である。地中管路１００の布設工事においては、複数の地中管を束にして接続していくことにより、複数の地中管路１００を同時に布設することが多い。また、地中管路１００の布設工事においては、複数の地中管路１００が連結されるハンドホール１１０が埋設さる。ハンドホール１１０は、ケーブル２００を地中管路１００に入線させるための作業空間を形成するコンクリート製の箱体である。
【０００４】
ところで、図４の符号Ａに示すように、同一区間内に複数の管路が埋設されている箇所において、ケーブルが未入線の地中管路を使用するにあたっては、その地中管路内にケーブルが入線されているか否かを予め確認しておく必要がある。
【０００５】
従来、地中管路内における入線の有無を確認する場合には、電動サンダーや電動パイプソー等を使用して、地中管上部に小窓を作って内部の状況を確認したり、通線器を使用して、通線器が通過する際の音により内部の状況を確認したりしている。
【０００６】
しかしながら、電動サンダーや電動パイプソーを使用して、地中管上部に小窓を開けて内部を確認する方法は、小窓を開ける際にケーブルを損傷させる可能性があり、しかも、小窓の補修に手間が掛かる。
【０００７】
また、通線器を使用して確認する方法は、地中管内部に通線器を挿入していく際の音の反響を聞き分ける必要があるが、隣接管路とは数センチしか離れていないことから、どの管路からの音が出ているかを聞き分けることが困難である。このため、作業員がケーブルの有無の判断を誤る可能性がある。
【０００８】
また、特許文献１には、複数条のケーブルを収容した場合に管路内のケーブルがどのような状態になるかを、透明実験管路を布設して確認することについて開示されている。
【先行技術文献】
【特許文献】
【０００９】
【特許文献１】特開２００１−２５８１１５号公報
【発明の概要】
【発明が解決しようとする課題】
【００１０】
ところで、地中管路内における入線の有無を確認する場合には、特許文献１の透明実験管路のように地中管路自体を透明にすることが考えられる。しかし、地中管路を透明にすると、地中管路の上方から地面を掘削する作業を行った場合に、地中管路の存在に気付かずに地中管路を破損させてしまうおそれがある。
【００１１】
本発明は、このような問題点を解決し、内部にケーブルが入線されているか否かを容易に確認可能な内部確認可能型地中管を提供することを目的としている。
【課題を解決するための手段】
【００１２】
前記目的を達成するため、本発明は、次に記載する構成を備えている。
【００１３】
（１）  地中に埋設され、複数連結することによって内部にケーブルを通す地中管路を形成する地中管であって、地中管本体の一部に、地中管本体の中心軸に沿って延びるライン状の透明部又は半透明部を形成したことを特徴とする内部確認可能型地中管。
【００１４】
（１）によれば、例えば、地中管路が埋設されている所定箇所の地面を掘削して、ケーブルが未入線の地中管路を利用する工事を行う場合、その箇所を掘り進めて未入線の地中管路を露出させる必要がある。この際、作業員は、内部確認可能型地中管の外側から透明部又は半透明部越しに内部確認可能型地中管の内部を視認して、ケーブルの有無を確認することができる。このため、従来のように、小窓を開けたり通線器を使用したりすることなく、未入線の地中管路を容易に見つけ出すことが可能になる。また、透明部又は半透明部がライン状であるため、内部確認可能型地中管を見つけ出した際に透明部又は半透明部の部分を容易に見つけ出すことが可能になる。
【００１５】
（２）  （１）において、前記透明部又は前記半透明部は、前記地中管本体の周方向に所定の間隔を空けて複数配置されることを特徴とする内部確認可能型地中管。
【００１６】
（２）によれば、地面の掘削を進めて内部確認可能型地中管に到達した時に、内部確認可能型地中管が、ストライプ模様という比較的目立つ態様で作業員に視認されるため、作業員が内部確認可能型地中管を確実に見つけ出すことが可能になる。これにより、作業員が地面の掘削を更に進めて、内部確認可能型地中管を破損してしまうことが防止できる。
【発明の効果】
【００１７】
本発明によれば、内部にケーブルが入線されているか否かを容易に確認可能な内部確認可能型地中管を提供することが可能になる。
【図面の簡単な説明】
【００１８】
【図１】本発明の一実施形態の内部確認可能型地中管１の構成を示す斜視図である。
【図２】本発明の一実施形態の内部確認可能型地中管１の構成を示す側面図である。
【図３】本発明の一実施形態の内部確認可能型地中管１によって形成された地中管路の埋設状態を示す説明図である。
【図４】地中管路の布設例を示す説明図である。
【発明を実施するための形態】
【００１９】
以下、本発明の一実施形態について、図面を参照しながら詳細に説明する。
図１は、本発明の一実施形態の内部確認可能型地中管１の構成を示す斜視図、図２は、図１の側面図、図３は、本発明の一実施形態の内部確認可能型地中管１によって形成された地中管路の埋設状態を示す説明図である。
【００２０】
内部確認可能型地中管１は、地中管本体１０と、複数の透明板２０とによって構成されている。
地中管本体１０は、長尺の円筒体からなる円筒部１２と、円筒部１２の片方の端部に形成され、円筒部１２の外径より若干大きい内径の円筒体からなる連結部１４とを備えている。地中管本体１０は、内部に通されるケーブルの種類に応じて色分けされている。本実施形態においては電力用のケーブルを通す地中管路を想定しており、電力用のケーブルを通す地中管路の場合には、一般的には橙色が用いられている。なお、地中管本体１０は、橙色に色づけられた樹脂材料を成形したものであっても、橙色の塗料を塗布したものであってもよい。
円筒部１２には、中心軸に沿って延びる孔部１６が複数周方向に等間隔に並んで形成されている。また、孔部１６の縁部は段状に形成されている。このため、孔部１６の開口は外側が広く内側が狭く形成されている。
【００２１】
透明板２０は、透明又は半透明の部材からなり、孔部１６に適合可能な形状である。透明板２０は円筒部１２と同じ曲率で円弧状に湾曲しており、透明板２０の厚さは円筒部１２の厚さと同じであり、透明板２０の外周部は段状に形成されている。このため、地中管本体１０の孔部１６に透明板２０を嵌め込んだ際に、透明板２０の段状部分が孔部１６の縁部の段状部分に係合し、透明板２０の表面と地中管本体１０の表面とが面一となる。
透明板２０の材質としては、地中管本体１０と同等の強度を有することが望ましく、例えば、強化プラスチックや強化ガラスが適用可能である。なお、透明板２０が半透明に場合には、少なくとも内部が確認できる程度の透明性を有するものが適用可能である。
【００２２】
そして、地中管本体１０の孔部１６に透明板２０を嵌め込み、地中管本体１０に透明板２０を固定することによって内部確認可能型地中管１が作成される。
このように構成された内部確認可能型地中管１によれば、周方向に隣合う孔部１６、１６の間に形成された橙色のラインと、透明板２０によって形成され、地中管本体１０の中心軸に沿って延びる透明又は半透明のラインとが、周方向に交互に配置されている。すなわち、内部確認可能型地中管１の外観は、橙色のラインが等間隔に並ぶ、所謂ストライプ状に形成されている。
【００２３】
本実施形態の内部確認可能型地中管１を用いて地中管路を形成する場合には、作業員が、予め地面を掘り下げることによって形成された溝の底部に内部確認可能型地中管１を載置し、この内部確認可能型地中管１の連結部１４に次の内部確認可能型地中管１の円筒部１２を挿入する作業を行う。この作業を繰り返すことによって、ケーブルを通す地中管路が形成される。本実施形態によれば、図３に示すように、９本の内部確認可能型地中管１を３×３のマトリクス状に配置し、９本の内部確認可能型地中管１にそれぞれ内部確認可能型地中管１を継ぎ足していく。そして、溝を土で埋めることにより、９ラインの地中管路１００がまとまった状態で地中に布設される。更に、地中に布設された地中管路１００にケーブルを挿入していくことにより、地中にケーブルが布設される。
なお、内部確認可能型地中管１同士を連結する際に、透明板２０と橙色のラインとの境界部分が上方に位置するように位置決めしながら連結していくことが望ましい。
【００２４】
以上説明したように構成された本実施形態によれば次に記載する作用効果を奏する。
例えば、地中管路が埋設されている所定箇所の地面を掘削して、ケーブルが未入線の地中管路を利用する工事を行う場合、その箇所を掘り進めて未入線の地中管路を露出させる必要がある。この際、地面の掘削を進めて内部確認可能型地中管１に到達した時に、橙色のストライプという比較的目立つ態様で作業員に内部確認可能型地中管１が視認されるため、作業員が内部確認可能型地中管１を確実に見つけ出すことが可能になる。これにより、作業員が地面の掘削を更に進めて、内部確認可能型地中管１を破損してしまうことが防止できる。しかも、作業員は、内部確認可能型地中管１の外側から透明板２０越しに内部確認可能型地中管１の内部を視認して、ケーブルの有無を確認することができるため、従来のように、小窓を開けたり通線器を使用したりすることなく、未入線の地中管路を容易に見つけ出すことが可能になる。
【００２５】
また本実施形態によれば、透明板２０が長手方向に延びているため、地面の掘削を進めて内部確認可能型地中管１に到達した時に、透明板２０の又はその近傍に到達する可能性が高くなり、透明板２０を探すために内部確認可能型地中管１の周囲を更に掘り起こす手間が省ける。特に、透明板２０と橙色のラインとの境界部分が上方に位置するように内部確認可能型地中管１同士が連結されている場合には、地面の掘削を進めた際に、透明板２０と橙色のラインとの境界部分に到達する可能性が高くなり、内部確認可能型地中管１を見つけ出してからすぐに内部確認可能型地中管１の内部を確認することが可能になる。
【００２６】
なお、本発明の実施形態は、上述した実施形態に限るものではない。例えば、上述した実施形態では、透明板２０を孔部１６に嵌め込んでいるが、透明板２０が薄くかつ高い強度であれば、透明板２０を孔部１６より一回り大きく形成し、孔部１６の縁部に透明板２０の外周部分を固定することにより、孔部１６を透明板２０で覆うようにしてもよい。
【００２７】
また、円筒部１２を透明又は半透明の強化プラスチックにより構成し、この円筒部１２の外面に橙色の塗料を塗布したり、あるいは、橙色のシート部材を貼着したりして、透明ライン及び橙色のラインに相当する部分を形成してもよい。
【００２８】
また、孔部１６の数については４箇所以上であることが望ましい。これにより、内部確認可能型地中管１同士を連結した際に、内部確認可能型地中管１の上側に少なくとも２本の橙色のラインが配置される。これにより、地面の掘削を進めた際に、２本の橙色のラインを到達する可能性が高くなり、内部確認可能型地中管１を見つけ出してからすぐに２本の橙色ラインの間の透明板２０越しに内部確認可能型地中管１の内部を確認することが可能になる。
【符号の説明】
【００２９】
１  内部確認可能型地中管
１０  地中管本体
１２  円筒部
１４  連結部
１６  孔部
２０  透明板
１００  地中管路
２００  ケーブル
【図１】
2015231297.tif 000003
【図２】
2015231297.tif 000004
【図３】
2015231297.tif 000005
【図４】
2015231297.tif 000006